(57)【特許請求の範囲】
【請求項１】
口腔側から顎骨に固定される支持体と、該支持体に螺合されると共に回転により前記顎骨の一部を上顎洞側に押圧可能な押圧体と、を備え、前記押圧体によって前記顎骨の一部を上顎洞側に徐々に押し出すことにより該顎骨を僅かに破壊して増生させ、その繰り返しにより上顎洞底を隆起させる上顎洞底挙上用部材であって、前記押圧体は、前記支持体に対して螺合して回転により軸方向に移動可能なねじ部材と、該ねじ部材の前記上顎洞側に回転可能に取り付けられると共に前記顎骨に接触して前記上顎洞側に押圧する押圧部材と、を備え、前記押圧部材の先端部の径は前記ねじ部材の径よりも大きく、且つ前記先端部を支持すると共に前記支持体に螺合により支持される補助支持部材を備えることを特徴とする上顎洞底挙上用部材。
【請求項２】
前記補助支持部材は円筒形状であり、前記支持体は、中心部に形成された押圧体を収容する押圧体収容穴と、その同心の円筒形状に形成された前記補助支持部材が螺合される補助支持部材収容穴と、を備える請求項１に記載の上顎洞底挙上用部材。
【請求項３】
前記補助支持部材は、ボルトであり、前記支持体は、中心部に形成された押圧体を収容する押圧体収容穴と、その周囲に形成された前記補助支持部材が螺合される補助支持部材収容穴と、を備える請求項１に記載の上顎洞底挙上用部材。
【請求項４】
前記押圧部材はチタン合金製である請求項１乃至３のいずれか一項に記載の上顎洞底挙上用部材。
【請求項５】
前記支持体は前記顎骨に埋め込まれて固定される請求項１乃至４のいずれか一項に記載の上顎洞底挙上用部材。
【請求項６】
前記支持体の前記口腔側の端部には、前記顎骨にねじ止めされると共に前記支持体が口腔側に突出することを防止する押さえ部材が設けられる請求項５に記載の上顎洞底挙上用部材。
【請求項７】
前記支持体は前記顎骨の表面に設けられると共に、前記支持体を前記顎骨にねじ止めする支持体固定手段を備える請求項１乃至４のいずれか一項に記載の上顎洞底挙上用部材。
【請求項８】
前記支持体の前記顎骨側にはフランジ部を備え、前記支持体固定手段は円環形状で前記フランジ部を押さえた状態で前記顎骨にねじ止めされる請求項７に記載の上顎洞底挙上用部材。
【請求項９】
前記支持体固定手段は、前記支持体の前記顎骨側に形成されると共に前記顎骨にねじ止めされるフランジである請求項７に記載の上顎洞底挙上用部材。
【発明の詳細な説明】
【技術分野】
【０００１】
本発明は、薄くなった顎骨に歯科用インプラントを設ける際に事前に上顎洞の底部を洞内に隆起させて顎骨を厚くすることができる上顎洞底挙上用部材に関する。更に詳しくは、本発明は、自己の顎骨を増生させることで安全且つ簡易に顎骨を厚くすることができる上顎洞底挙上用部材に関する。
【背景技術】
【０００２】
従来より、上顎の奥歯に歯科用インプラントを埋設する際に、上顎洞の拡大により顎骨が薄くなってインプラントを支持する厚さや強度が不足することがあった。これを解決するために各種の方法が開発されている。
例えば、上顎洞底粘膜を剥離して挙上し上顎洞底と粘膜との間に空間を形成し、この空間に骨補填材を埋め込んで固化させるサイナスリフト術が知られている（例えば、特許文献１参照）。骨補填材としては、自己の骨や人工骨、代替骨、培養骨等の各種の材料が使用される。
また、顎骨側から上顎洞底を外科的に鎚打して挙上するソケットリフト術が、知られている。
【０００３】
しかしながら、上述したサイナスリフト術では、上顎洞底粘膜を上顎洞底から剥離して挙上する必要があるために、上顎骨を切削・展開して粘膜を挙上しなければならない。このため、手術が大掛かりになり患者の負担が増大する上、熟練の技術も必要になるので費用が高額になったり、施術者が少なくて施術の機会が限られてしまう。
また、骨補填材として自己の他の部位の骨を使用する場合は、他の部位を切開して採取しなければならず、これについても同様に手術が大掛かりになる上、熟練の技術も必要になる。しかも、切開術を行うことは感染症に罹患する可能性が増加してしまうので、これを極力低減することが望まれる。
また、ソケットリフト術では、上顎洞底を挙上できる量が数ｍｍ程度と限定される上、明視下で行うことが難しく、更に、上顎洞底粘膜を破ってしまう等の恐れがあり、熟練の技術が必要とされる。従って、安全に、且つ大きく上顎洞底を挙上できるものが求められている。
【先行技術文献】
【特許文献】
【０００４】
【特許文献１】特開２００６−３０５２１５号公報
【発明の概要】
【発明が解決しようとする課題】
【０００５】
本発明は、前記現状に鑑みてなされたものであり、大掛かりな手術をすることなく自己の顎骨を増生させることで安全且つ簡易に顎骨を厚くすることができる上顎洞底挙上用部材を提供することを目的とする。
【課題を解決するための手段】
【０００６】
本発明は、以下の通りである。
［１］口腔側から顎骨に固定される支持体と、該支持体に螺合されると共に回転により前記顎骨の一部を上顎洞側に押圧可能な押圧体と、を備え、
前記押圧体によって前記顎骨の一部を上顎洞側に徐々に押し出すことにより該顎骨を僅かに破壊して増生させ、その繰り返しにより上顎洞底を隆起させることを特徴とする上顎洞底挙上用部材。
［２］前記押圧体は、前記支持体に対して螺合して回転により軸方向に移動可能なねじ部材と、該ねじ部材の前記上顎洞側に回転可能に取り付けられると共に前記顎骨に接触して前記上顎洞側に押圧する押圧部材と、を備える前記［１］に記載の上顎洞底挙上用部材。
［３］前記押圧部材の径は、前記ねじ部材の径以下である前記［２］に記載の上顎洞底挙上用部材。
［４］前記押圧部材の先端部の径は前記ねじ部材の径よりも大きく、且つ前記先端部を支持すると共に前記支持体に螺合により支持される補助支持部材を備える前記［２］に記載の上顎洞底挙上用部材。
［５］前記補助支持部材は円筒形状であり、前記支持体は、中心部に形成された押圧体を収容する押圧体収容穴と、その同心の円筒形状に形成された前記補助支持部材が螺合される補助支持部材収容穴と、を備える前記［４］に記載の上顎洞底挙上用部材。
［６］前記補助支持部材は、ボルトであり、前記支持体は、中心部に形成された押圧体を収容する押圧体収容穴と、その周囲に形成された前記補助支持部材が螺合される補助支持部材収容穴と、を備える前記［４］に記載の上顎洞底挙上用部材。
［７］前記押圧部材はチタン合金製である前記［２］又は［３］に記載の上顎洞底挙上用部材。
［８］前記押圧部材はステンレス鋼製である前記［４］乃至［６］のいずれかに記載の上顎洞底挙上用部材。
［９］前記支持体は前記顎骨に埋め込まれて固定される前記［１］乃至［８］のいずれかに記載の上顎洞底挙上用部材。
［１０］前記支持体の前記口腔側の端部には、前記顎骨にねじ止めされると共に前記支持体が口腔側に突出することを防止する押さえ部材が設けられる請求項９に記載の上顎洞底挙上用部材。
［１１］前記支持体は前記顎骨の表面に設けられると共に、前記支持体を前記顎骨にねじ止めする支持体固定手段を備える前記［１］乃至［８］のいずれかに記載の上顎洞底挙上用部材。
［１２］前記支持体の前記顎骨側にはフランジ部を備え、前記支持体固定手段は円環形状で前記フランジ部を押さえた状態で前記顎骨にねじ止めされる前記［１１］に記載の上顎洞底挙上用部材。
［１３］前記支持体固定手段は、前記支持体の前記顎骨側に形成されると共に前記顎骨にねじ止めされるフランジである前記［１１］に記載の上顎洞底挙上用部材。
【発明の効果】
【０００７】
本発明の上顎洞底挙上用部材によると、口腔側から顎骨に固定される支持体と、該支持体に螺合されると共に回転により顎骨を上顎洞側に押圧可能な押圧体と、を備えているので、押圧体によって顎骨を上顎洞側に徐々に押し出すことにより顎骨を僅かに破壊して（骨折させて）、自己の骨増生作用（骨再生作用）により顎骨を増生させることができる。これを長期間に亘り繰り返すことにより、上顎洞底を隆起させて顎骨を厚くすることができ、当該部位にインプラントを埋設することができる。インプラントは、押圧体を取り外してできた穴に埋設したり、或いは押圧体を残したままで支持体に螺合することができる。
更には、従来のように上顎骨を切開したり、他の部位から骨を採取することがないので、大掛かりな手術が不要となり、患者の負担を少なくできると共に感染症に罹患する可能性を低減できる。更に、施術が簡易で熟練の技術が不要となるので、費用を低額に抑えると同時に、施術者が多くなるので施術の機会を増加させることができる。
【０００８】
また、押圧体が、支持体に対して螺合して回転により軸方向に移動可能なねじ部材と、このねじ部材の上顎洞側に回転可能に取り付けられると共に顎骨に接触して上顎洞側に押圧する押圧部材と、を備える場合は、ねじ部材を回転させた際に押圧部材は顎骨に対しては摩擦により回転することなく直進するので、顎骨の破壊を最小限に抑えることができる。このため、顎骨の増生を早めることができる。
更に、押圧部材の径がねじ部材の径以下である場合は、顎骨が十分に厚くなった後、ねじ部材を逆回転させて押圧部材を顎骨から取り外すことができる。これにより、顎骨には穴が形成され、この穴にインプラントを埋設することができる。
【０００９】
また、押圧部材の先端部の径がねじ部材の径よりも大きく、且つ先端部を支持すると共に支持体に螺合により支持される補助支持部材を備える場合は、比較的広範囲で顎骨を厚くすることができ、インプラント埋設時の強度を高めることができる。
押圧部材の先端部の径がねじ部材の径よりも大きい場合、顎骨から押圧部材を取り出すことはできない。このため、押圧部材を顎骨に埋め込んだまま支持部材にインプラントを螺合して取り付けるようにする。
ここで、補助支持部材は円筒形状であり、支持体は、中心部に形成された押圧体を収容する押圧体収容穴と、その同心の円筒形状に形成された補助支持部材が螺合される補助支持部材収容穴と、を備える場合は、押圧部材を所定位置まで突出させた後に補助支持部材を回転させて押圧部材を支持させることができるので、補助支持部材を顎骨と癒着させて上顎洞底挙上用部材を顎骨に強固に固定することができる。これにより、インプラント埋設時の強度を高めることができる。
また、補助支持部材がボルトであり、支持体は、中心部に形成された押圧体を収容する押圧体収容穴と、その周囲に形成された補助支持部材が螺合される補助支持部材収容穴と、を備える場合は、より簡易な構造で押圧部材を支持させることができる。
【００１０】
また、押圧部材がステンレス鋼製である場合は、押圧部材が顎骨に対して癒着しにくいので、押圧部材に癒着した顎骨を押圧時に一気に破壊してしまうようなことはない。
更に、押圧部材がチタン合金製である場合は、顎骨内に押圧部材が残されても、顎骨との生体親和性が高く、安全にインプラントを行うことができる。
【００１１】
また、支持体が顎骨に埋め込まれて固定される場合は、顎骨に対する支持体の固定が強化されるので、押圧体による顎骨の押圧を確実にすることができる。しかも、支持体を残したままインプラントを埋設することができるので、インプラントの埋設時の強度を高めることができる。
ここで、支持体の口腔側の端部に、顎骨にねじ止めされると共に支持体が口腔側に突出することを防止する押さえ部材が設けられる場合は、支持体の顎骨への固着が不完全な状態であっても押圧体を押し出した際に支持体が口腔側にずれてしまうことを防止できる。これにより、支持体を埋設してから完全に固着する前に押圧体を押し出すことができるので、施術期間の短縮化を図ることができる。
【００１２】
一方、支持体が顎骨の表面に設けられると共に、支持体を顎骨にねじ止めする支持体固定手段を備える場合は、顎骨の厚さに関係なく支持体を取り付けることができるので、顎骨が支持体を埋設できない程度に薄い場合、例えば厚さ１ｍｍ程度であっても支持体を設けて顎骨を厚くすることができる。
ここで、支持体の顎骨側にはフランジ部を備え、支持体固定手段は円環形状でフランジ部を押さえた状態で顎骨にねじ止めされる場合は、支持体固定手段として、単純な円環形状で円環上の数箇所でねじ止めするものや、円環の周囲に十字形に突出した４箇所でねじ止めするものや、１本の径方向に突出した２箇所でねじ止めするもの等、各種形状を用意しておき、顎骨の表面の状況や隣接する他の歯の存在等によって適宜な形状の支持体固定手段を選択して利用することができる。
また、支持体固定手段が支持体の顎骨側に形成されると共に顎骨にねじ止めされるフランジである場合は、部品点数を増やすことなく簡易な構造で支持体を固定することができる。
【図面の簡単な説明】
【００１３】
【図１】上顎洞底挙上用部材の第１の実施例を示す概略の側面図であり、（Ａ）は支持体を埋め込んだ状態、（Ｂ）は押圧体を途中まで突出させた状態、（Ｃ）は押圧体を最後まで突出させた状態、（Ｄ）は押圧体を除去した状態、（Ｅ）は人工歯根本体を埋設した状態を示す。
【図２】上顎洞底挙上用部材の第１の実施例を示す概略の斜視図であり、（Ａ）は押圧体が収容された状態、（Ｂ）は押圧体が突出した状態を示す。
【図３】上顎洞底挙上用部材の第１の実施例に歯冠を取り付ける状態を示す分解組立図である。
【図４】上顎洞底挙上用部材の他の実施例に歯冠を取り付ける状態を示す分解組立図である。
【図５】上顎洞底挙上用部材の第１の実施例により押圧体を粘膜に接触させた動作を示す概略の側面図であり、（Ａ）は支持体を埋め込んだ状態、（Ｂ）は粘膜と顎骨の間に空間が形成された状態、（Ｃ）はその空間に骨増生がなされた状態、（Ｄ）は押圧体を最後まで突出させた状態、（Ｅ）は押圧体を除去した状態を示す。
【図６】上顎洞底挙上用部材の第２の実施例を示す概略図であり、（Ａ）は側面図、（Ｂ）は底面図、（Ｃ）は他の実施例の底面図、（Ｄ）は更に他の実施例の底面図である。
【図７】上顎洞底挙上用部材の第３の実施例を示す概略の側面図であり、（Ａ）は支持体を埋め込んだ状態、（Ｂ）は押圧体を途中まで突出させた状態、（Ｃ）は押圧体を最後まで突出させた状態、（Ｄ）は補助支持部材を途中まで突出させた状態、（Ｅ）は補助支持部材を最後まで突出させた状態、（Ｆ）は人工歯根本体及び穴埋めリングを埋設した状態を示す。
【図８】上顎洞底挙上用部材の第３の実施例を示す概略の斜視図であり、（Ａ）は押圧体が収容された状態、（Ｂ）は押圧体が突出した状態、（Ｃ）は補助支持部材が突出した状態を示す。
【図９】上顎洞底挙上用部材の第４の実施例を示す概略の側面図であり、（Ａ）は支持体を取り付けた状態、（Ｂ）は押圧体を少し突出させた状態、（Ｃ）は押圧体を更に突出させた状態、（Ｄ）は押圧体を最後まで突出させた状態、（Ｅ）は押圧体を除去した状態、（Ｆ）は人工歯根本体を埋設した状態を示す。
【発明を実施するための形態】
【００１４】
本発明に係る上顎洞底挙上用部材は、支持体と、押圧体と、を備えたものである。
前記「顎骨」は、特に上顎骨のうちで上顎洞の下方に位置するもの、即ち主として上顎奥歯の顎骨を意味し、歯の抜けた直後の歯槽骨も含まれる。
【００１５】
前記「支持体」は、口腔側から顎骨に固定されると共に押圧体を螺合により支持する限り、その形状、大きさ、材質、構造等は特に問わない。
支持体は、顎骨に埋め込まれて固定されてもよい。この場合、支持体の口腔側の端部に、顎骨にねじ止めされると共に支持体が口腔側に突出することを防止する押さえ部材を設けることができる。
押さえ部材の形状としては、円環状でねじ止め部を円周上の数箇所に配置した形状（図６（Ｂ）参照）や、十字形状で各先端部の４箇所にねじ止め部を配置した形状（図６（Ｃ）参照）や、径方向のベルト状で各先端部の２箇所にねじ止め部を配置した形状（図６（Ｄ）参照）とすることができる。
【００１６】
また、支持体としては、顎骨の表面に設けられると共に支持体を顎骨にねじ止めする支持体固定手段を備えるようにできる。この場合、支持体の顎骨側にはフランジ部を備え、支持体固定手段は円環形状でフランジ部を押さえた状態で顎骨にねじ止めされるようにしたり、或いは支持体固定手段は支持体の顎骨側に形成されると共に顎骨にねじ止めされるフランジであるようにできる。いずれの場合も、支持体固定手段として、単純な円環形状で円環上の数箇所でねじ止めするものや、円環の周囲に十字形に突出した４箇所でねじ止めするものや、１本の径方向に突出した２箇所でねじ止めするもの等、各種形状を採用することができる。
【００１７】
前記「押圧体」は、支持体に螺合されると共に回転により顎骨を上顎洞側に押圧可能である限り、その形状、大きさ、材質、構造等は特に問わない。
ここで、上顎洞底挙上用部材の全体の長さとしては、例えば、８〜１５ｍｍが好ましい。このため、押圧体の長さとしては、例えば、８〜１５ｍｍ程度とすることが好ましい。また、押圧体の径としては、例えば、３．５〜６ｍｍ程度が好ましい。
【００１８】
押圧体としては、ねじ部材と、押圧部材と、を備えるものとできる。
前記「ねじ部材」は、支持体に対して螺合して回転により軸方向に移動可能である限り、その形状、大きさ、材質、構造等は特に問わない。
ねじ部材としては、外周に雄ねじ部を有し、支持体の中心に形成された雌ねじ部に螺合するものとできる。
【００１９】
前記「押圧部材」は、ねじ部材の上顎洞側に回転可能に取り付けられると共に顎骨に接触して上顎洞側に押圧する限り、その形状、大きさ、材質、構造等は特に問わない。
押圧部材の材質としては、インプラントの埋設時に取り外す場合は顎骨との癒着が比較的弱くアレルギー反応を起こしにくいステンレス鋼、チタン合金（純チタンを含む）、金合金、白金、樹脂、セラミック等が好ましい。
また、インプラントの埋設後も顎骨に残す場合には、骨との癒着も期待でき、生体親和性が高いチタン合金が好ましい。
【００２０】
ねじ部材と押圧部材との連結は、例えば、ねじ部材の押圧部材側に形成された球形状の支持突起と、押圧部材のねじ部材側に形成された球形状の支持穴と、を係合することで回転可能に行うことができる。
【００２１】
押圧部材の径はねじ部材の径以下とすることができる。
また、押圧部材の先端部の径はねじ部材の径よりも大きく、且つ先端部を支持すると共に支持体に螺合により支持される補助支持部材を備えるようにできる。
ここで、補助支持部材を円筒形状とし、支持体は、中心部に形成された押圧体を収容する押圧体収容穴と、同心の円筒形状に形成された補助支持部材を収容する補助支持部材収容穴と、を備えるようにできる。
また、補助支持部材をボルトとし、支持体は、中心部に形成された押圧体を収容する押圧体収容穴と、その周囲に形成された補助支持部材が螺合される補助支持部材収容穴と、を備えるようにできる。
【実施例】
【００２２】
以下、図面を用いて実施例により本発明を具体的に説明する。
【００２３】
（第１の実施例）
（１）上顎洞底挙上用部材の構成
本実施例に係る上顎洞底挙上用部材１は、図１及び図２に示すように、口腔側から顎骨２に埋め込まれて固定される支持体３と、この支持体３に螺合されると共に回転により顎骨２を上顎洞４側に押圧可能な押圧体５と、を備えるものである。
支持体３は、チタン合金製で中心に押圧体収容穴６を有する略円筒形状であり、外周面に形成された雄ねじ部７と、押圧体収容穴６の内周面に形成された雌ねじ部８と、口腔側端部に形成されたフランジ状の拡径部９と、を備えている。押圧体５は、支持体３の雌ねじ部８に螺合して回転により軸方向に移動可能なねじ部材１０と、このねじ部材１０の上顎洞４側に回転可能に取り付けられると共に顎骨２に接触して上顎洞４側に押圧する押圧部材１１と、を備えている。
ねじ部材１０はステンレス鋼製で、外周面に形成された雄ねじ部１２と、押圧部材１１側に形成された球形状の支持突起１３と、を備えている。押圧部材１１は表面が円滑なステンレス鋼製で、ねじ部材１０の径と同等の径を有する球面から成る先端部１４と、ねじ部材１０側に形成された球形状の支持穴１５と、を備えている。ねじ部材１０の支持突起１３と、押圧部材１１の支持穴１５と、は回転可能に係合されている。
【００２４】
（２）上顎洞底挙上用部材の作用
次に、前記構成の上顎洞底挙上用部材１の作用について説明する。
【００２５】
インプラントを埋設する部位の歯肉及び顎骨２に小穴１６を開け、押圧体５が先端側に突出しないように装填した支持体３を顎骨２にねじ込んで固定する（図１（Ａ））。或いは、押圧体５を装填しない支持体３のみを顎骨２にねじ込んで、後から押圧体５を装填するようにしてもよい。ここで、押圧体５の口腔側への突出量は、支持体３と面位置になるようにしたり、或いは必要とする伸び代が大きければ口腔側に突出させておいてもよい。
【００２６】
そして、ねじ部材１０を僅かに回転させて押圧部材１１を顎骨２に向けて僅かに押し出す（図１（Ｂ））。これにより、顎骨２が僅かに破壊（骨折）され、当該部位で骨増生がなされる。ここで、押圧体５の突出量としては、上顎洞底粘膜１７と押圧部材１１との間に常に薄い顎骨２が介在するような量としている。骨増生がなされてから、再びねじ部材１０を僅かに回転させて押圧部材１１を顎骨２に僅かに押し出し、顎骨２を僅かに破壊して骨増生させる。これを繰り返すことにより、押圧部材１１の先端側の部分で上顎洞底１８が隆起して顎骨２が厚くなる。
【００２７】
顎骨２の厚さが、例えば１５ｍｍ程度になったら（図１（Ｃ））、ねじ部材１０を逆回転させて押圧体５を取り外す。これにより、支持体３の内部から顎骨２に亘って空洞１９が形成される（図１（Ｄ））。この空洞１９にインプラントの人工歯根本体２０を螺合により埋設する（図１（Ｅ））。この人工歯根本体２０は押圧部材１１より僅かに大径とし、螺合による固定の強化を図る。
【００２８】
更に、この人工歯根本体２０に対しては、図３に示すように、アバットメント２１を装着して止めねじ２２で固定し、アバットメント２１に歯冠２３を装着して固定ねじ２４で固定する。或いは、図４に示すように、アバットメント２１が一体化された人工歯根本体２０を用いて、人工歯根本体２０のアバットメント２１に歯冠２３を装着して固定ねじ２４で固定するようにしてもよい。
【００２９】
（３）実施例の効果
本実施例の上顎洞底挙上用部材１によると、押圧体５により顎骨２を僅かに破壊して自己の骨増生作用により顎骨２を厚くすることができるので、一旦薄くなった顎骨２でも厚くしてインプラントを埋設することができるようになる。また、従来のように上顎骨を切開したり、他の部位から骨を採取することがないので、大掛かりな手術が不要となり、患者の負担を少なくできると共に、感染症に罹患する可能性を低減できる。更に、施術が簡易で熟練の技術が不要となるので、費用を低額に抑えると同時に施術者が多くなるので施術の機会を増加させることができる。
そして、押圧体５が互いに回転可能なねじ部材１０及び押圧部材１１から成るので、ねじ部材１０を回転させた際に押圧部材１１は顎骨２に対しては摩擦により回転することなく直進する。これにより、顎骨２の破壊を最小限に抑えることができ、顎骨２の増生を早めることができる。
【００３０】
また、押圧部材１１の径がねじ部材１０の径であるので、顎骨２が十分に厚くなった後、ねじ部材１０を逆回転させて押圧部材１１を顎骨２から取り外すことができる。これにより、顎骨２には空洞１９が形成され、この空洞１９にインプラントを埋設することができる。
更に、押圧部材１１が表面が円滑なステンレス鋼製であるので、押圧部材１１が顎骨２に対して癒着しにくいことから、押圧部材１１に癒着した顎骨２を押圧時に一気に破壊してしまうようなことはない。
また、押圧体５の突出量は上顎洞底粘膜１７と押圧部材１１との間に常に薄い顎骨２が介在する量としているので、粘膜１７の破れを抑制することができる。
【００３１】
また、支持体３が顎骨２に埋め込まれて固定されているので、顎骨２に対する支持体３の固定を強化することができ、押圧体５による顎骨２の押圧を確実にすることができる。しかも、支持体３を残したままインプラントを埋設することができるので、インプラントの埋設時の強度を高めることができる。
尚、本発明においては、前記実施例に限られず、目的、用途に応じて本発明の範囲内で種々変更した実施例とすることができる。即ち、前記実施例では、押圧体５の突出量は上顎洞底粘膜１７と押圧部材１１との間に常に薄い顎骨２が介在する量としたが、これに限定されず、例えば図５に示すように、押圧部材１１が上顎洞底粘膜１７を直接押圧するようにしてもよい。この場合、粘膜１７が顎骨２から剥離して隙間２５ができ（図５（Ｂ））、その隙間２５で骨増生がなされる（図５（Ｃ））。そして、押圧部材１１を更に押し出すことにより、更なる骨増生を図ることができる。
【００３２】
（第２の実施例）
（１）上顎洞底挙上用部材の構成
本実施例に係る上顎洞底挙上用部材１は、図６（Ａ）（Ｂ）に示すように、上述した上顎洞底挙上用部材１の支持体３の拡径部９に押さえ部材２６を設けている。押さえ部材２６は、顎骨２にねじ止めされると共に、支持体３が口腔側に突出することを防止する。ここでは押さえ部材２６はステンレス鋼製で、円環状でねじ止め部２７を円周上の９０度おきの４箇所に配置した形状としている。各ねじ止め部２７は、マイクロスクリュー２８により顎骨２にねじ止めされている。また、押さえ部材２６の中心孔２９は押圧体５よりも大径としている。
他の構成については、第１の実施例と同様であるので符号を同じくして詳細な説明を省略する。
【００３３】
（２）上顎洞底挙上用部材の作用
次に、前記構成の上顎洞底挙上用部材１の作用について説明する。
【００３４】
第１の実施例と同様に支持体３を顎骨２にねじ込む。その後、押さえ部材２６を顎骨２にねじ止めする。
そして、第１の実施例と同様にして、上顎洞底１８を隆起して顎骨２を厚くする。その後、押圧体５及び押さえ部材２６を外し、空洞１９にインプラントの人工歯根本体２０を螺合により埋設することができる。
【００３５】
（３）実施例の効果
本実施例の上顎洞底挙上用部材１によると、支持体３の口腔側の端部に押さえ部材２６が設けられているので、支持体３の顎骨２への固着が不完全な状態であっても押圧体５を押し出した際に支持体３が口腔側にずれてしまうことを防止できる。これにより、支持体３を埋設してから顎骨２に完全に固着する前に押圧体５を押し出すことができるので、施術期間の短縮化を図ることができる。
尚、本発明においては、前記実施例に限られず、目的、用途に応じて本発明の範囲内で種々変更した実施例とすることができる。即ち、前記実施例では、押さえ部材２６として円環状でねじ止め部２７を円周上の４箇所に配置した形状としたが、これに限定されず、例えば、十字形状で各先端部の４箇所にねじ止め部２７を配置した形状（図６（Ｃ））や、径方向のベルト状で各先端部の２箇所にねじ止め部２７を配置した形状（図６（Ｄ））とすることができる。
【００３６】
（第３の実施例）
（１）上顎洞底挙上用部材の構成
本実施例に係る上顎洞底挙上用部材１は、図７及び図８に示すように、口腔側から顎骨２に埋め込まれて固定される支持体３と、この支持体３に螺合されると共に回転により顎骨２を上顎洞４側に押圧可能で先端部１４が拡径した押圧体５と、この先端部１４を支持すると共に支持体３に螺合により支持される補助支持部材３０と、を備えたものである。
支持体３は、チタン合金製で、円筒形状の内径部材３１と、この内径部材３１と同心状に設けられた外径部材３２と、口腔側端面で内径部材３１及び外径部材３２を連結する連結部材３３と、を備えている。内径部材３１の中心は押圧体収容穴６とされていて、内周面には雌ねじ部８が形成されている。外径部材３２は、外周面に形成された雄ねじ部７と、内周面に形成された雌ねじ部３４と、口腔側端部に形成されたフランジ状の拡径部９と、を備えている。連結部材３３は、内径部材３１及び外径部材３２を周方向９０度おきの４箇所で接合されている。内径部材３１及び外径部材３２の間の円筒状の空間は補助支持部材収容穴３５としている。補助支持部材３０はチタン合金製の円筒形状で、外周面に形成された雄ねじ部３６と、口腔側端面に形成された工具に係合する係合穴３７と、を備えている。この補助支持部材３０の雄ねじ部３６は、支持体３の外径部材３２の雌ねじ部３４に螺合する。
押圧体５は、第１の実施例と同様の機構であり、支持体３の雌ねじ部８に螺合して回転により軸方向に移動可能なねじ部材１０と、このねじ部材１０の上顎洞４側に回転可能に取り付けられると共に顎骨２に接触して上顎洞４側に押圧する押圧部材１１と、を備えている。ねじ部材１０はステンレス鋼製で、外周面に形成された雄ねじ部１２と、押圧部材１１側に形成された球形状の支持突起１３と、を備えている。押圧部材１１はチタン製で、ねじ部材１０よりも大径でドーム状に突出した先端部１４と、ねじ部材１０側に形成された球形状の支持穴１５と、を備えている。ねじ部材１０の支持突起１３と、押圧部材１１の支持穴１５と、は回転可能に係合されている。
【００３７】
（２）上顎洞底挙上用部材の作用
次に、前記構成の上顎洞底挙上用部材１の作用について説明する。
【００３８】
予め、補助支持部材３０及び押圧体５を支持体３の先端側から螺合し、最も口腔側の位置に設けておく。そして、インプラントを埋設する部位の歯肉及び顎骨２に小穴１６を開け、支持体３を顎骨２にねじ込んで固定する（図７（Ａ））。
ねじ部材１０を僅かに回転させて押圧部材１１を顎骨２に向けて僅かに押し出す（図７（Ｂ））。これにより、顎骨２が僅かに破壊され、当該部位で骨増生がなされる。押圧部材１１の押し出しと骨増生を繰り返すことにより、押圧部材１１の先端側の部分で上顎洞底１８が隆起して顎骨２が厚くなる（図７（Ｃ））。
顎骨２の厚さが、例えば１５ｍｍ程度になったら、補助支持部材３０を回転させて押圧部材１１の先端部１４側に押し出す（図７（Ｄ））。この回転は、連結部材３３の隙間から工具を差し入れて係合穴３７に係合させて行う。補助支持部材３０が押し出されることにより、当該部位の顎骨２は破壊される。補助支持部材３０が押圧部材１１の先端部１４に達したら回転を停止する（図７（Ｅ））。
押圧部材１１及び補助支持部材３０のいずれもチタン製であるので、このまま顎骨２と癒着して固着される。固着後に、押圧体収容穴６にインプラントの人工歯根本体２０を螺合により埋設する。また、連結部材３３を取り外し、補助支持部材収容穴３５には円筒形状の穴埋めリング３８を螺合させる（図７（Ｆ））。
尚、この人工歯根本体２０に対する歯冠２３の固定構造は第１の実施例と同様である。
【００３９】
（３）実施例の効果
本実施例の上顎洞底挙上用部材１によると、押圧部材１１の先端部１４の径がねじ部材１０の径よりも大きいので、比較的広い範囲で顎骨２を厚くすることができ、インプラント埋設時の強度を高めることができる。
また、円筒形状の補助支持部材３０を備えているので、補助支持部材３０を顎骨２と癒着させて上顎洞底挙上用部材１を顎骨２に強固に固定することができる。これにより、インプラント埋設時の強度を高めることができる。
尚、本発明においては、前記実施例に限られず、目的、用途に応じて本発明の範囲内で種々変更した実施例とすることができる。即ち、前記実施例では、補助支持部材３０を円筒形状としたが、これに限定されず、例えば、ボルトとしてもよい。この場合、支持体３の補助支持部材収容穴３５はボルトを螺合する形状にする。これによると、より簡易な構造で押圧部材１１を支持させることができる。
【００４０】
（第４の実施例）
（１）上顎洞底挙上用部材１の構成
本実施例に係る上顎洞底挙上用部材１は、図９に示すように、口腔側から顎骨２の表面に固定される支持体３と、この支持体３を顎骨２にねじ止めする支持体固定手段３９と、支持体３に螺合されると共に回転により顎骨２を上顎洞４側に押圧可能な押圧体５と、を備えたものである。
支持体３は、ステンレス鋼製で中心に押圧体収容穴６を有する略円筒形状であり、押圧体収容穴６の内周面に形成された雌ねじ部８と、顎骨２側に形成されたフランジ部４０と、を備えている。支持体固定手段３９はステンレス鋼製の円環形状で、フランジ部４０を押さえた状態で顎骨２にねじ止めされる。支持体固定手段３９は、円環形状でねじ止め部４１を円周上の９０度おきの４箇所に配置した形状としている。各ねじ止め部４１は、マイクロスクリュー４２により顎骨２にねじ止めされている。
押圧体５は、第１の実施例と同様に、支持体３の雌ねじ部８に螺合して回転により軸方向に移動可能なねじ部材１０と、このねじ部材１０の上顎洞４側に回転可能に取り付けられると共に顎骨２に接触して上顎洞４側に押圧する押圧部材１１と、を備えている。ねじ部材１０はステンレス鋼製で、外周面に形成された雄ねじ部１２と、押圧部材１１側に形成された球形状の支持突起１３と、を備えている。押圧部材１１は表面が円滑なステンレス鋼製で、ねじ部材１０の径と同等の径を有する球面から成る先端部１４と、ねじ部材１０側に形成された球形状の支持穴１５と、を備えている。ねじ部材１０の支持突起１３と、押圧部材１１の支持穴１５と、は回転可能に係合されている。
【００４１】
（２）上顎洞底挙上用部材の作用
次に、前記構成の上顎洞底挙上用部材１の作用について説明する。
【００４２】
インプラントを埋設する部位の歯肉に小穴１６を開け、押圧体５が先端側に突出しないように装填した支持体３を支持体固定手段３９により顎骨２の表面にねじ止めする（図９（Ａ））。或いは、押圧体５を装填しない支持体３のみをねじ止めして、後から押圧体５を装填するようにしてもよい。
そして、ねじ部材１０を僅かに回転させて押圧部材１１を顎骨２に向けて僅かに押し出す（図９（Ｂ）（Ｃ））。これにより、顎骨２が僅かに破壊され、当該部位で骨増生がなされる。押圧部材１１の押し出しと骨増生を繰り返すことにより、押圧部材１１の先端側の部分で上顎洞底１８が隆起して顎骨２が厚くなる（図９（Ｄ））。
顎骨２の厚さが、例えば１５ｍｍ程度になったら、ねじ部材１０を逆回転させて押圧体５を取り外す。また、支持体固定手段３９のねじを取り外して、支持体３を取り外す。これにより、顎骨２に空洞１９が形成される（図９（Ｅ））。この空洞１９にインプラントの人工歯根本体２０を螺合により埋設する（図９（Ｆ））。この人工歯根本体２０は押圧部材１１より僅かに大径とし、螺合による固定の強化を図る。
尚、この人工歯根本体２０に対する歯冠２３の固定構造は第１の実施例と同様である。
【００４３】
（３）実施例の効果
本実施例の上顎洞底挙上用部材１によると、顎骨２の厚さに関係なく支持体３を取り付けることができるので、顎骨２が支持体３を埋設できない程度に薄い場合、例えば厚さ１ｍｍ程度であっても支持体３を設けて顎骨２を厚くすることができる。
また、支持体固定手段３９は円環形状でフランジ部４０を押さえた状態で顎骨２にねじ止めされる別部材であるので、各種形状の支持体固定手段３９を用意しておき、顎骨２の表面の状況や隣接する他の歯の存在等によって適宜な形状の支持体固定手段３９を選択して利用することができる。
尚、本発明においては、前記実施例に限られず、目的、用途に応じて本発明の範囲内で種々変更した実施例とすることができる。即ち、前記実施例では、支持体固定手段３９は円環形状でねじ止め部４１を円周上の９０度おきの４箇所に配置した形状としたが、これに限定されず、円環の周囲に十字形に突出した４箇所にねじ止め部を有する形状や、１本の径方向に突出した２箇所にねじ止め部を有する形状としてもよい。
また、前記実施例では、支持体固定手段３９は支持体３と別部材としたが、これに限定されず、支持体３の顎骨２側に一体形成されたフランジであるようにしてもよい。この場合、部品点数を増やすことなく簡易な構造で支持体３を固定することができる。
【産業上の利用可能性】
【００４４】
薄くなった顎骨に歯科用インプラントを設ける際に、事前に上顎洞の底部を洞内に隆起させて顎骨を厚くする上顎洞底挙上用部材の技術として利用される。特に、自己の顎骨を増生させることで安全且つ簡易に顎骨を厚くすることが可能な技術として好適に利用される。
【符号の説明】
【００４５】
１；上顎洞底挙上用部材、２；顎骨、３；支持体、４；上顎洞、５；押圧体、６；押圧体収容穴、１０；ねじ部材、１１；押圧部材、１７；上顎洞底粘膜、１８；上顎洞底、２０；人工歯根本体、２６；押さえ部材、３９；支持体固定手段、４０；フランジ部。
【図１】
0005418968.tif 000002
【図２】
0005418968.tif 000003
【図３】
0005418968.tif 000004
【図４】
0005418968.tif 000005
【図５】
0005418968.tif 000006
【図６】
0005418968.tif 000007
【図７】
0005418968.tif 000008
【図８】
0005418968.tif 000009
【図９】
0005418968.tif 000010